(57)【要約】      （修正有）【課題】全体的投飼効果を向上するエコ型池投飼装置を提供する。【解決手段】案内ブラケット１、駆動ユニット、供給ユニットおよび投飼ユニットを含み、案内ブラケット１は池へ配置されるものであり、駆動ユニットは案内ブラケット１に取付けられ、供給ユニットは駆動ユニットの一側に取付けられ、投飼ユニットは供給ユニットの底端に取付けられており、供給ユニットの輸出端は池内を向いているエコ型池投飼装置であって、駆動ユニットは駆動フレーム２、２個のモータ、２個の歯車およびギアラックを含み、駆動フレーム２は案内ブラケット１に外套され、供給ユニットは収納庫６、輸送管７、供給室８、吸取ポンプおよび流量計を含み、収納庫６はホルダによって駆動フレーム２の上方に取付けられ、供給室８は駆動フレーム２の底端に取付けられており、輸送管７の両端はそれぞれ収納庫６および供給室８内に連通している。【選択図】図１
0003233029.tif 000002
【実用新案登録請求の範囲】
【請求項１】
案内ブラケット（１）、駆動ユニット、供給ユニットおよび投飼ユニットを含み、前記案
内ブラケット（１）は池へ配置されるものであり、前記駆動ユニットは案内ブラケット（
１）に取付けられ、前記供給ユニットは駆動ユニットの一側に取付けられ、前記投飼ユニ
ットは供給ユニットの底端に取付けられており、前記供給ユニットの輸出端は池内を向い
ていることを特徴とするエコ型池投飼装置。
【請求項２】
前記駆動ユニットは駆動フレーム（２）、２個のモータ（３）、２個の歯車（４）および
ギアラック（５）を含み、前記駆動フレーム（２）は案内ブラケット（１）に外套され、
前記ギアラック（５）は案内ブラケット（１）の底端に取付けられ、２個の前記モータ（
３）はホルダによって駆動フレーム（２）内の底端に取付けられ、２個の歯車（４）は２
個のモータ（３）の出力端に取付けられており、２個の前記歯車（４）とギアラック（５
）とが噛み合って伝動可能に接続されていることを特徴とする請求項１に記載のエコ型池
投飼装置。
【請求項３】
前記駆動フレーム（２）と案内ブラケット（１）とが滑動可能に貼合されており、前記案
内ブラケット（１）に駆動フレーム（２）に嵌合する滑り軌道が開設されていることを特
徴とする請求項２に記載のエコ型池投飼装置。  
【請求項４】
前記駆動フレーム（２）全体は矩形状を呈しており、前記駆動フレーム（２）の両側にそ
れぞれ案内ブラケット（１）に嵌合する貫通穴が開設されていることを特徴とする請求項
２に記載のエコ型池投飼装置。
【請求項５】
２個の前記歯車（４）は平行に取付けられており、２個の前記歯車（４）はホルダによっ
て駆動フレーム（２）の内壁底端に接続されていることを特徴とする請求項２に記載のエ
コ型池投飼装置。
【請求項６】
前記供給ユニットは収納庫（６）、輸送管（７）、供給室（８）、吸取ポンプ（９）およ
び流量計（１０）を含み、前記収納庫（６）はホルダによって駆動フレーム（２）の上方
に取付けられ、前記供給室（８）は駆動フレーム（２）の底端に取付けられており、前記
輸送管（７）の両端はそれぞれ収納庫（６）および供給室（８）内に連通しており、前記
吸取ポンプ（９）は輸送管（７）の端部に取付けられ、前記流量計（１０）は輸送管（７
）に取付けられていることを特徴とする請求項１に記載のエコ型池投飼装置。  
【請求項７】
前記収納庫（６）全体は矩形状を呈しており、前記収納庫（６）の頂端にカバードア（１
１）がヒンジによって回動可能に取付されていることを特徴とする請求項６に記載のエコ
型池投飼装置。
【請求項８】
前記供給ユニットは排出管（１２）、放出室（１３）、駆動モータ（１４）、駆動歯車（
１５）および伝動歯車（１６）を含み、前記排出管（１２）は供給室（８）の底端に取付
けられ、前記放出室（１３）は排出管（１２）に回動可能に外套され、前記駆動モータ（
１４）はホルダによって排出管（１２）の一側に取付けられ、前記駆動歯車（１５）は駆
動モータ（１４）の出力端に取付けられ、前記伝動歯車（１６）は放出室（１３）の外部
に取付けられており、前記駆動歯車（１５）と伝動歯車（１６）とが噛み合って伝動可能
に接続されており、前記放出室（１３）の側壁にそれぞれ複数の排出貫通穴が開設されて
おり、前記放出室（１３）の内部に傾斜状案内台が取付れられていることを特徴とする請
求項１に記載のエコ型池投飼装置。
【請求項９】
前記放出室（１３）全体は矩形状を呈しており、前記放出室（１３）の内壁は平滑化処理
されていることを特徴とする請求項１に記載のエコ型池投飼装置。
【請求項１０】
前記排出管（１２）全体は円柱形状を呈しており、前記排出管（１２）と駆動歯車（１５
）とが嵌合取付されていることを特徴とする請求項１に記載のエコ型池投飼装置。
【考案の詳細な説明】
【技術の分野】
【０００１】
本実用新案は飼料投入の技術分野に関するもので、具体的にはエコ型池投飼装置に関す
る。
【従来の技術】
【０００２】
池は、湖よりも小さい、水が溜まったところをいう。池と湖を区切る方法は論争があるが
、一般のに、池は船を使わずに、多くの場合は竹の筏を使って渡る。社会の発展と生活水
準の上げる今は、人工的造った池が登場する。この人工的池中でザリガニなどを養殖する
ことが養殖業で流行っている。この場合、投飼装置によってザリガニなどに飼料を投飼す
る必要があり、これによって飼料の浪費を回避することができる。ところが、従来の投飼
装置は、使用効果がよいと言えず、池内全体に対して定点の投飼ができなく、飼育効果が
低い。また、従来の投飼装置は、飼料を均一に撒くことができず、飼育の総範囲が小さい
。
【０００３】
ところが、従来の投飼装置は、使用効果がよいと言えず、池内全体に対して定点の投飼が
できなく、飼育効果が低い。また、従来の投飼装置は、飼料を均一に撒くことができず、
飼育の総範囲が小さく、飼料の浪費をもたらしやすく、資源の無駄が現状である。
【考案の概要】
【０００４】
本実用新案の目のは、背景の技術に記載のように、使用効果がよいと言えず、池内全体に
対して定点の投飼ができなく、飼育効果が低い、また、飼料を均一に撒くことができず、
飼育の総範囲が小さい、という従来の投飼装置の欠点を克服できるエコ型池投飼装置を提
供することにある。
【０００５】
上記の目のを実現するために、本実用新案は、下記のエコ型池投飼装置を提供する。該エ
コ型池投飼装置は、案内ブラケット、駆動ユニット、供給ユニットおよび投飼ユニットを
含み、前記案内ブラケットは池へ配置されるものであり、前記駆動ユニットは案内ブラケ
ットに取付けられ、前記供給ユニットは駆動ユニットの一側に取付けられ、前記投飼ユニ
ットは供給ユニットの底端に取付けられており、前記供給ユニットの輸出端は池内を向い
ている。  
【０００６】
好ましく、前記駆動ユニットは駆動フレーム、２個のモータ、２個の歯車およびギアラッ
クを含み、前記駆動フレームは案内ブラケットに外套され、前記ギアラックモータは案内
ブラケットの底端に取付けられ、２個の前記モータはホルダによって駆動フレーム内の底
端に取付けられ、２個の歯車モータは２個のモータの出力端に取付けられており、２個の
前記歯車モータとギアラックモータとが噛み合って伝動可能に接続されている。２個の歯
車モータとギアラックモータの噛合伝動で、本装置を案内ブラケットにおいて駆動して左
右位置を調整し、全体的投飼範囲を増大することができる。これにより養殖者が実際によ
って苗育てなどのために区域的に飼料投下を行うことができる。これによって、全体的飼
養効果を向上し、使用者にとって便利になる。
【０００７】
好ましく、前記駆動フレームと案内ブラケットとが滑動可能に貼合されており、前記案内
ブラケットに駆動フレームに嵌合する滑り軌道が開設されている。駆動フレームの滑動安
定性を確保する。
【０００８】
好ましく、前記駆動フレーム全体は矩形状を呈しており、前記駆動フレームの両側にそれ
ぞれ案内ブラケットに嵌合する貫通穴が開設されている。
【０００９】
好ましく、２個の前記歯車モータは平行に取付けられており、２個の前記歯車モータはホ
ルダによって駆動フレームの内壁底端に接続されている。
【００１０】
好ましく、前記供給ユニットは収納庫、輸送管、供給室、吸取ポンプおよび流量計を含み
、前記収納庫はホルダによって駆動フレームの上方に取付けられ、前記供給室は駆動フレ
ームの底端に取付けられており、前記輸送管の両端はそれぞれ収納庫および供給室内に連
通しており、前記吸取ポンプは輸送管の端部に取付けられ、前記流量計は輸送管に取付け
られている。輸送管によって収納庫内の飼料を供給室内へ輸送することができるとともに
、流量計の助力で飼料の定量的投飼を実現することができる。
【００１１】
好ましく、前記収納庫全体は矩形状を呈しており、前記収納庫の頂端にヒンジによってカ
バードアが回動可能に取付けられている。これにより操作者が便利に投飼できる。
【００１２】
好ましく、前記供給ユニットは排出管、放出室、駆動モータモータ、駆動歯車モータおよ
び伝動歯車を含み、前記排出管は供給室の底端に取付けられ、前記放出室は排出管に回動
可能に外套され、前記駆動モータモータはホルダによって排出管の一側に取付けられ、前
記駆動歯車モータは駆動モータモータの出力端に取付けられ、前記伝動歯車は放出室の外
部に取付けられており、前記駆動歯車モータと伝動歯車とが噛み合って伝動可能に接続さ
れており、前記放出室の側壁にそれぞれ複数の排出貫通穴が開設されており、前記放出室
の内部に傾斜状案内台が取付れている。放出室を自転させるように駆動する。遠心力の作
用で、さらに放出室内の飼料を安定的にほうり出す。これによって、全体的投飼効果を向
上し、飼料の浪費を低減し、省エネかつ環境に優しくなる。
【００１３】
好ましく、前記放出室全体は矩形状を呈しており、前記放出室の内壁は平滑化処理されて
いる。
【００１４】
好ましく、前記排出管全体は円柱形状を呈しており、前記排出管と駆動歯車モータとが嵌
合取付されている
【００１５】
従来の技術と比べて、本実用新案の有益な効果は以下の通りである。
【００１６】
（１）本実用新案では、駆動ユニットを設けて、２個のモータの駆動で、かつ２個の歯車
とギアラックの噛合伝動で、本装置を案内ブラケットにおいて駆動して左右位置を調整し
、全体的投飼範囲を増大することができる。これにより養殖者が実際によって苗育てなど
のために区域的に飼料投下を行うことができる。これによって、全体的飼養効果を向上し
、使用者にとって便利になる。供給ユニットを設けて、輸送管によって収納庫内の飼料を
供給室内へ輸送することができるとともに、流量計の助力で飼料の定量的投飼を実現する
ことができる。これによって全体的投飼効果を向上する。
【００１７】
（２）本実用新案では、投飼ユニットを設けて、排出管によって飼料を放出室内へ輸送し
、その後駆動モータを起動し、駆動歯車と伝動歯車の噛合伝動で、同期に放出室を自転さ
せるように駆動する。遠心力の作用で、さらに放出室内の飼料を安定的にほうり出す。こ
れによって、全体的投飼効果を向上し、飼料の浪費を低減し、省エネかつ環境に優しくな
る。
【図面の簡単な説明】
【００１８】
【図１】本実用新案の全体構成模式図。
【図２】本実用新案の供給ユニットの構成模式図。
【図３】本実用新案の図２におけるＡ部の拡大模式図。
【図４】本実用新案の投飼ユニットの構成模式図。
【考案を実施するための形態】
【００１９】
図１〜４に示されるように、本実用新案はエコ型池投飼装置を提供する。該エコ型池投飼
装置は、案内ブラケット１、駆動ユニット、供給ユニットおよび投飼ユニットを含み、前
記案内ブラケット１は池へ配置されるものであり、前記駆動ユニットは案内ブラケット１
に取付けられ、前記供給ユニットは駆動ユニットの一側に取付けられ、前記投飼ユニット
は供給ユニットの底端に取付けられており、前記供給ユニットの輸出端は池内を向いてい
る。
【００２０】
さらに、前記駆動ユニットは駆動フレーム２、２個のモータ３、２個の歯車４およびギア
ラック５を含み、前記駆動フレーム２は案内ブラケット１に外套され、前記ギアラック５
は案内ブラケット１の底端に取付けられ、２個の前記モータ３はホルダによって駆動フレ
ーム２内の底端に取付けられ、２個の歯車４は２個のモータ３の出力端に取付けられてお
り、２個の前記歯車４とギアラック５とが噛み合って伝動可能に接続されている。２個の
歯車４とギアラック５の噛合伝動で、本装置を案内ブラケット１において駆動して左右位
置を調整し、全体的投飼範囲を増大することができる。これにより養殖者が実際によって
苗育てなどのために区域的に飼料投下を行うことができる。これによって、全体的飼養効
果を向上し、使用者にとって便利になる。
【００２１】
さらに、前記駆動フレーム２と案内ブラケット１とが滑動可能に貼合されており、前記案
内ブラケット１に駆動フレーム２に嵌合する滑り軌道が開設されている。これにより駆動
フレーム２の滑動安定性を確保する。
【００２２】
さらに、前記駆動フレーム２全体は矩形状を呈しており、前記駆動フレーム２の両側にそ
れぞれ案内ブラケット１に嵌合する貫通穴が開設されている。
【００２３】
さらに、２個の前記歯車４は平行に取付けられており、２個の前記歯車４はホルダによっ
て駆動フレーム２の内壁底端に接続されている。
【００２４】
さらに、前記供給ユニットは収納庫６、輸送管７、供給室８、吸取ポンプ９および流量計
１０を含み、前記収納庫６はホルダによって駆動フレーム２の上方に取付けられ、前記供
給室８は駆動フレーム２の底端に取付けられており、前記輸送管７の両端はそれぞれ収納
庫６および供給室８内に連通しており、前記吸取ポンプ９は輸送管７の端部に取付けられ
、前記流量計１０は輸送管７に取付けられている。輸送管７によって収納庫６内の飼料を
供給室８内へ輸送することができるとともに、流量計１０の助力で飼料の定量的投飼を実
現することができる。これによって全体的投飼効果を向上する。
【００２５】
さらに、前記収納庫６全体は矩形状を呈しており、前記収納庫６の頂端にヒンジによって
カバードア１１が回動可能に取付けられている。これにより、操作者が便利に投飼できる
。
【００２６】
さらに、前記供給ユニットは排出管１２、放出室１３、駆動モータ１４、駆動歯車１５お
よび伝動歯車１６を含み、前記排出管１２は供給室８の底端に取付けられ、前記放出室１
３は排出管１２に回動可能に外套され、前記駆動モータ１４はホルダによって排出管１２
の一側に取付けられ、前記駆動歯車１５は駆動モータ１４の出力端に取付けられ、前記伝
動歯車１６は放出室１３の外部に取付けられており、前記駆動歯車１５と伝動歯車１６と
が噛み合って伝動可能に接続されており、前記放出室１３の側壁にそれぞれ複数の排出貫
通穴が開設されており、前記放出室１３の内部に傾斜状案内台が取付れている。排出管１
２によって飼料を放出室１３内へ輸送し、その後駆動モータ１４を起動し、駆動歯車１５
と伝動歯車１６の噛合伝動で、同期に放出室１３を自転させるように駆動する。遠心力の
作用で、さらに放出室１３内の飼料を安定的にほうり出す。これによって、全体的投飼効
果を向上し、飼料の浪費を低減し、省エネかつ環境に優しくなる。
【００２７】
さらに、前記放出室１３全体は矩形状を呈しており、前記放出室１３の内壁は平滑化処理
されている。
【００２８】
さらに、前記排出管１２全体は円柱形状を呈しており、前記排出管１２と駆動歯車１５と
が嵌合取付されている。
【００２９】
本装置の動作原理について説明する。その実際使用に際しては、まず案内ブラケット１を
池に配置する。これにより本装置の全体的工作範囲を増大し、池にわたって投飼処理をす
ることができる。駆動ユニットを設けて、２個のモータ３の駆動で、かつ２個の歯車４と
ギアラック５の噛合伝動で、本装置を案内ブラケット１において駆動して左右位置を調整
し、全体的投飼範囲を増大することができる。これにより養殖者が実際によって苗育てな
どのために区域的に飼料投下を行うことができる。これによって、全体的飼養効果を向上
し、使用者にとって便利になる。供給ユニットを設けて、収納庫６によって同時に飼料を
集める。これにより以降の投飼過程の安定性を確保する。吸取ポンプ９を起動して、それ
から輸送管７によって収納庫６内の飼料を供給室８内へ輸送することができるとともに、
流量計１０の助力で飼料の定量的投飼を実現することができる。これによって全体的投飼
効果を向上する。投飼ユニットを設けて、排出管１２によって飼料を放出室１３内へ輸送
し、その後駆動モータ１４を起動し、駆動歯車１５と伝動歯車１６の噛合伝動で、同期に
放出室１３を自転させるように駆動する。遠心力の作用で、さらに放出室１３内の飼料を
安定的にほうり出す。これによって、全体的投飼効果を向上し、飼料の浪費を低減し、省
エネかつ環境に優しくなる。
【符号の説明】
【００３０】
１  案内ブラケット
２  駆動フレーム
３  モータ
４  歯車
５  ギアラック
６  収納庫
７  輸送管
８  供給室
９  吸取ポンプ
１０  流量計
１１  カバードア
１２  排出管
１３  放出室
１４  駆動モータ
１５  駆動歯車
１６  伝動歯車
【図１】
0003233029.tif 000003
【図２】
0003233029.tif 000004
【図３】
0003233029.tif 000005
【図４】
0003233029.tif 000006